(57)【要約】【課題】相間絶縁紙の連結脚部をステータコアのスロットに挿入する作業を、スムーズで効率のよいものにすることができる相間絶縁紙組み付け治具を提供すること。【解決手段】相間絶縁紙の連結脚部をステータコアのスロットに挿入する際に用いる相間絶縁紙組み付け治具１であって、連結脚部を着脱可能に保持する脚部保持部４を２組有しており、脚部保持部４は、スロットに挿入可能な厚みを有すると共に、２本の連結脚部を挿入すべき２つのスロットに対応する間隔をあけて設けられている。相間絶縁紙組み付け治具１は、連結脚部を挿入すべき２つのスロットに対応する２つの内側挿入片２４を設けた中央コア２と、中央コア２に対して開閉可能に連結されていると共に内側挿入片２４に対面する外側挿入片３４を設けた２つの側面コア３とを有し、内側挿入片２４と外側挿入片３４とによって脚部保持部４を構成することが好ましい。【選択図】図２
2007037330.tif 000002
【特許請求の範囲】
【請求項１】
２つの絶縁紙本体部を２本の連結脚部によって連結してなる相間絶縁紙の上記連結脚部をステータコアのスロットに挿入する際に用いる相間絶縁紙組み付け治具であって、
上記連結脚部を着脱可能に保持する脚部保持部を２組有しており、
該脚部保持部は、上記スロットに挿入可能な厚みを有すると共に、２本の上記連結脚部を挿入すべき２つの上記スロットに対応する間隔をあけて設けられていることを特徴とする相間絶縁紙組み付け治具。
【請求項２】
請求項１において、上記相間絶縁紙組み付け治具は、上記連結脚部を挿入すべき２つの上記スロットに対応する２つの内側挿入片を設けた中央コアと、
該中央コアに対して開閉可能に連結されていると共に上記内側挿入片に対面する外側挿入片を設けた２つの側面コアとを有し、上記内側挿入片と上記外側挿入片とによって上記脚部保持部を構成しており、
上記側面コアを開状態とすることによって、上記内側挿入片と上記外側挿入片との間に上記連結脚部を配置する間隙を形成可能であると共に、
上記側面コアを閉状態とすることによって、上記内側挿入片と上記外側挿入片との間に上記連結脚部を挟持可能であり、
かつ、２つの上記側面コアを閉状態として、上記内側挿入片と上記外側挿入片とよりなる２組の上記脚部保持部を、それぞれ対応する上記スロットの軸方向開口端部から上記スロットに沿ってスライドさせることにより、２組の上記脚部保持部がそれぞれ対応する上記スロット内に同時に挿入可能に構成されていることを特徴とする相間絶縁紙組み付け治具。
【請求項３】
請求項２において、上記中央コア又は上記側面コアには、該側面コアを閉状態に維持するためのロック部を設けてあることを特徴とする相間絶縁紙組み付け治具。
【請求項４】
請求項２又は３において、上記中央コアと上記側面コアとの間には、該側面コアを開状態となる方向に付勢する付勢手段を配設してあることを特徴とする相間絶縁紙組み付け治具。
【請求項５】
請求項２〜４のいずれか１項において、上記中央コア又は上記側面コアには、上記内側挿入片と上記外側挿入片の存在する部位よりもスライド方向に突出した余長部を設けてあり、該余長部を上記ステータコアの径方向内面に当接させることにより、上記ステータコアに対する径方向位置の位置合わせが可能に構成されていることを特徴とする相間絶縁紙組み付け治具。
【請求項６】
請求項５において、上記余長部には、上記脚部保持部を挿入すべき上記スロットの隣のスロットの内周面側の開口部に係合する位置決め突起部が設けられていることを特徴とする相間絶縁紙組み付け治具。
【請求項７】
請求項２〜６のいずれか１項において、上記中央コア又は上記側面コアのスライド方向後方側の端面には、上記内側挿入片と上記外側挿入片との間の間隙に挿入される上記連結脚部の挿入深さを規制する規制部材が配設されていることを特徴とする相間絶縁紙組み付け治具。
【発明の詳細な説明】
【技術分野】
【０００１】
本発明は、モータを構成するステータコアに相間絶縁紙を組み付ける際に用いる治具に関する。
【背景技術】
【０００２】
モータのステータは、ステータコアのスロットに複数のコイルを挿入配置して構成されている。各コイルは、ステータコアの軸方向の両端面にコイルエンドをはみ出した状態で装着されており、複数のコイルエンドが径方向に重なった状態となっている。そのため、従来より、コイルエンド間には、相間絶縁紙と呼ばれる絶縁部材を配設している。
【０００３】
ところで、上記相間絶縁紙としては、後述する図１に示すごとく、２つの絶縁紙本体部７０を２本の連結脚部７１によって連結してなる構造の相間絶縁紙７が広く使用されている。これは、ステータコアの軸方向両端面に位置する２箇所のコイルエンド間に配設される２つの絶縁紙本体部７０を、上記連結脚部７１によって連結することにより、装着状態における安定性を向上させたものである。
【０００４】
このような連結脚部７１を有する相間絶縁紙７をステータコアに装着する場合には、そのスロットに連結脚部７１を挿入する必要がある。しかしながら、相間絶縁紙７の連結脚部７１をスロットに挿入する作業は、必ずしも容易ではなく、容易化させるための様々な工夫がなされてきた。
例えば、特許文献１〜５には、相間絶縁紙をスロットに挿入するための様々な装置が提案されている。しかし、これらの装置は非常に複雑で高価であるという問題がある。そこで、手作業で挿入作業をすることを前提として、その効率を従来よりも格段に向上させることができる相間絶縁紙組み付け治具を開発することが望まれていた。
【０００５】
【特許文献１】特開２００４−３６４４４９号公報
【特許文献２】特開平５−２６０７０７号公報
【特許文献３】特開平５−３３６７１３号公報
【特許文献４】特開平７−１４３７０７号公報
【特許文献５】特開平９−２０１０１９号公報
【発明の開示】
【発明が解決しようとする課題】
【０００６】
本発明は、かかる従来の問題点に鑑みてなされたもので、相間絶縁紙の連結脚部をステータコアのスロットに挿入する作業を、スムーズで効率のよいものにすることができる相間絶縁紙組み付け治具を提供しようとするものである。
【課題を解決するための手段】
【０００７】
本発明は、２つの絶縁紙本体部を２本の連結脚部によって連結してなる相間絶縁紙の上記連結脚部をステータコアのスロットに挿入する際に用いる相間絶縁紙組み付け治具であって、
上記連結脚部を着脱可能に保持する脚部保持部を２組有しており、
該脚部保持部は、上記スロットに挿入可能な厚みを有すると共に、２本の上記連結脚部を挿入すべき２つの上記スロットに対応する間隔をあけて設けられていることを特徴とする相間絶縁紙組み付け治具にある（請求項１）。
【０００８】
本発明の相間絶縁紙組み付け治具は、上記構成の脚部保持部を２組有している。そのため、この相間絶縁紙組み付け治具を用いれば、手作業によるステータコアへの相間絶縁紙の組み付け作業を非常にスムーズかつ効率よく行うことができる。
【０００９】
すなわち、上記相間絶縁紙組み付け治具（以下、適宜、単に治具という）を用いて相間絶縁紙をステータコアに組み付ける作業を行う場合には、まず、上記２組の脚部保持部に、それぞれ相間絶縁紙の連結脚部を保持させる。
次に、上記治具を、リング状のステータコアの開口端部に配置して、連結脚部を挿入すべき２つのスロットの軸方向端部に、それぞれ上記治具の脚部保持部一端を対面させ、スロットと脚部保持部とを同一線上に配置する。
【００１０】
次いで、上記治具を、スロットに沿ってステータコアの軸方向にスライドさせる。これにより、上記脚部保持部とこれらに挟持されている連結脚部がスロット内に挿入される。
上記治具のスライドは、スライド方向における後方側に位置する相間絶縁紙の絶縁紙本体部が所望の位置に到達した時点で一旦完了する。そして、連結脚部を脚部保持部から外して、スロット内に押し込んで、治具と相間絶縁紙の係合状態を解除する。その後、治具のみをさらにスライドさせて、ステータコアから取り外すことにより、相間絶縁紙の組み付けが完了する。
【００１１】
このように、本発明の治具を用いれば、相間絶縁紙の連結脚部を上記脚部保持部に保持させた治具をスロットに沿ってスライドさせれば、自ずと相間絶縁紙の連結脚部の大部分がスロット内にスムーズに配置される。そのため、ステータコアへの相間絶縁紙の組付けを、スムーズかつ効率よく行うことができる。
【発明を実施するための最良の形態】
【００１２】
本発明の相間絶縁紙組み付け治具の具体的構成としては、上記脚部保持部を有する限り、様々な構成を採用することができるが、次のような構成とすることが好ましい。
すなわち、上記相間絶縁紙組み付け治具は、上記連結脚部を挿入すべき２つの上記スロットに対応する２つの内側挿入片を設けた中央コアと、
該中央コアに対して開閉可能に連結されていると共に上記内側挿入片に対面する外側挿入片を設けた２つの側面コアとを有し、上記内側挿入片と上記外側挿入片とによって上記脚部保持部を構成しており、
上記側面コアを開状態とすることによって、上記内側挿入片と上記外側挿入片との間に上記連結脚部を配置する間隙を形成可能であると共に、
上記側面コアを閉状態とすることによって、上記内側挿入片と上記外側挿入片との間に上記連結脚部を挟持可能であり、
かつ、２つの上記側面コアを閉状態として、上記内側挿入片と上記外側挿入片とよりなる２組の上記脚部保持部を、それぞれ対応する上記スロットの軸方向開口端部から上記スロットに沿ってスライドさせることにより、２組の上記脚部保持部がそれぞれ対応する上記スロット内に同時に挿入可能に構成されていることが好ましい（請求項２）。
【００１３】
この場合に、相間絶縁紙の組み付け作業を行うに当たっては、まず、上記中央コアに対して２つの側面コアを開いた状態とし、２組の上記内側挿入片と上記外側挿入片との間にそれぞれ間隙を形成する。
次いで、この間隙に、相間絶縁紙の連結脚部を挿入する。
次いで、２つの側面コアを閉じた状態とし、２組の脚部保持部（上記内側挿入片と上記外側挿入片）にそれぞれ連結脚部を挟持する。
【００１４】
次に、上記相間絶縁紙を把持した上記治具を、上述したように、リング状のステータコアの開口端部に配置して、連結脚部を挿入すべき２つのスロットの軸方向端部に、それぞれ脚部保持部一端を対面させ、スロットと内側挿入片及び外側挿入片とを同一線上に配置する。
【００１５】
次いで、上記治具を、スロットに沿ってステータコアの軸方向にスライドさせる。これにより、脚部保持部（内側挿入片及び外側挿入片）と共に、これらに挟持されている連結脚部がスロット内に挿入される。
上記治具のスライドは、スライド方向における後方側に位置する相間絶縁紙の絶縁紙本体部が所望の位置に到達した時点で一旦完了する。そして、側面コアを可能な範囲で開状態とし、内側挿入片と外側挿入片との間から連結脚部をスロット内に押し込んで、挟持状態を解除する。その後、治具のみをさらにスライドさせて、ステータコアから取り外すことにより、相間絶縁紙の組み付けが完了する。
【００１６】
このように、上記内側挿入片を備えた中央コアと上記外側挿入片を備えた側面コアとを組み合わせることにより、相間絶縁紙の連結脚部を容易に着脱可能に保持する構造を実現することができる。
【００１７】
なお、上記治具を構成する中央コアと内側挿入片とは一体の部材で構成してもよいし、内側挿入片とその基端部分等を中央コアの本体部分と別部品として作製してから両者を一体化して構成してもよい。
同様に、各側面コアと外側挿入片とは一体の部材で構成してもよいし、外側挿入片とその基端部等を側面コアの本体部分と別部品として作製してから両者を一体化して構成してもよい。
【００１８】
また、上記中央コア又は上記側面コアには、該側面コアを閉状態に維持するためのロック部を設けてあることが好ましい（請求項３）。
この場合には、上記ロック部を操作することによって上記側面コアを閉状態に維持することができるので、上記連結脚部を挟持した状態を確実かつ容易に維持することができる。そのため、上記治具をスライドさせる際に、連結脚部の挟持状態を考慮する必要がほとんど無く、作業者はスライド作業に専念できる。そのため、よりスムーズかつ効率よく作業を行うことができる。
【００１９】
また、上記中央コアと上記側面コアとの間には、該側面コアを開状態となる方向に付勢する付勢手段を配設してあることが好ましい（請求項４）。この場合には、上記付勢手段によって容易に側面コアの開状態を維持することができるので、内側挿入片と外側挿入片との間の間隙に連結脚部を配置する作業を簡単にすることができる。
【００２０】
また、上記中央コア又は上記側面コアには、上記内側挿入片と上記外側挿入片の存在する部位よりもスライド方向に突出した余長部を設けてあり、該余長部を上記ステータコアの径方向内面に当接させることにより、上記ステータコアに対する径方向位置の位置合わせが可能に構成されていることが好ましい（請求項５）。
【００２１】
上記２組の内側挿入片と外側挿入片とは、それぞれのスロットの傾きに応じて傾いて設けられることが好ましいが、これらをステータコアの内周面側の狭い開口部からスロット内に挿入できるように設計することは難しい。そこで、内側挿入片と外側挿入片の長手方向端部をスロットの軸方向開口部に対面させてからスライドすることが必要となる。このとき、上記治具をステータコアに対する径方向位置を合わせることは必ずしも容易ではない。そこで、上記のように、余長部を設けることによって、これをステータコアの内周面に当接させれば、位置合わせ作業を簡単にすることができる。
【００２２】
また、上記余長部には、上記脚部保持部を挿入すべき上記スロットの隣のスロットの内周面側の開口部に係合する位置決め突起部が設けられていることが好ましい（請求項６）。この場合には、上記余長部によってステータコアの径方向における位置合わせをすると共に、上記位置決め突起部によって周方向における位置合わせも容易に行うことができる。
【００２３】
また、上記中央コア又は上記側面コアのスライド方向後方側の端面には、上記内側挿入片と上記外側挿入片との間の間隙に挿入される上記連結脚部の挿入深さを規制する規制部材が配設されていることが好ましい（請求項７）。
この場合には、上記規制部材を設けた側に挟持する上記連結脚部の挿入深さを浅く規制し、その反対側における挿入深さを比較的深くすることが容易に実現できる。そのため、上記連結脚部の保持状態を、治具に対して平行ではなく斜めにすることが容易である。それ故、この状態で相間絶縁紙を保持した上記治具をスロットに対してスライドすることにより、後方側の浅く保持した側の連結脚部及びそれよりも後方の部分をスムーズにスロット内に挿入することができる。
【実施例】
【００２４】
（実施例１）
本発明の実施例に係る相間絶縁紙組み付け治具につき、図１〜図１７を用いて説明する。
本例では、図１１に示すごとく、三相交流モータにおけるリング状のステータコア８の内周面に設けたスロット８０に相間絶縁紙を組み付ける。実際には、位相の異なる３相のコイル（図示略）をスロット８０に挿入する作業の間に相間絶縁紙の組み付け作業を行い、Ｕ相のコイルのコイルエンドとＶ相のコイルエンドの間、及びＶ相のコイルエンドとＷ相のコイルエンドの間に、後述する絶縁紙本体部７０が配置するように相間絶縁紙７を配置する。
【００２５】
本例で用いる相間絶縁紙７は、図１（ａ）（ｂ）に示すごとく、２種類のものを用い、いずれも２つの絶縁紙本体部７０を２本の連結脚部７１により連結した構造を有している。それぞれの絶縁紙本体部７０は、立体的に変形させた変形部７２、７３等を有しているが、これらの形状は特に限定されるものではない。
【００２６】
相間絶縁紙組み付け治具１は、図２、図３に示すごとく、連結脚部７１を着脱可能に保持する脚部保持部４を２組有しており、脚部保持部４は、スロット８０に挿入可能な厚みを有すると共に、２本の連結脚部７１を挿入すべき２つのスロット８０に対応する間隔をあけて設けられている。
以下、さらに詳説する。
【００２７】
図２、図３に示すごとく、相間絶縁紙組み付け治具１は、連結脚部７１を挿入すべき２つのスロット８に対応する２つの内側挿入片２４を設けた中央コア２と、中央コア２に対して開閉可能に連結されていると共に内側挿入片２４に対面する外側挿入片３４を設けた２つの側面コア３とを有し、内側挿入片２４と外側挿入片３４とによって上記脚部保持部４を構成している。
【００２８】
上記中央コア２は、図２、図３に示すごとく、略台形状の断面形状を有し、その平らな底面部２１の両端に上記内側挿入片２４を有している。２つの内側挿入片２４は、互いの間の角度が５２．５°となるように設定されている。この５２．５°という角度は、後述する図１１に示すごとく、連結脚部７１を挿入すべき２つのスロット８０とステータコア８の軸心を結んだ線の間の角度と一致するものである。
【００２９】
また、上記２つの内側挿入片２４は、その基端部２４１の間隔が、挿入すべき２つのスロット８０の内周面側の開口部８１０（図１１）の間隔に対応して設けてある。
また、図２、図３、図５、図７に示すごとく、内側挿入片２４は、中央コア２の先端面２２１から後退した位置から、中央コア２の後端面２２２の位置まで繋がる平板形状となるように設けてある。
また、中央コア２のうち、上記内側挿入片２４及びこれを支持する部分２４５は、鋼により作製してあり、その他の主な部分は軽量のアルミ合金により作製してある。
なお、中央コア２は、内側挿入片２４及びこれを支持する部分２４５を一体的に有する一部品で構成することも可能である。
【００３０】
また、図２、図３に示すごとく、中央コア２の台形状の上辺部両端近傍には、側面コア３を回動可能に支持する支軸部２９が設けられている。支軸部２９を介して配設された２つの側面コア３は、左右対称に構成されており、それぞれ上記中央コア２の側面２３に対する離隔状態（図２、図３、図８）又は当接状態（図４）を、上記支軸部２９を中心に回動することにより実現できるように構成されている。以下、適宜、上記離隔状態を開いた状態（開状態）、上記当接状態を閉じた状態（閉状態）という。
【００３１】
各側面コア３は、その底面部３１における上記中央コア２寄りの端部に、上記外側挿入片３４を有している。各外側挿入片３４は、対向する中央コア２の内側挿入片２４と同形状に設けてあり、側面コア３を閉状態とした場合に、重なり合うように構成されている。すなわち、図２、図３、図５、図７に示すごとく、各側面コア３４は、側面コア３の先端面３２１から後退した位置から、側面コア３の後端面３２２の位置まで繋がる平板形状となるように設けてある。
また、側面コア３のうち、上記側面コア３４及びこれを支持する部分３４５は、鋼により作製してあり、その他の主な部分は軽量のアルミ合金により作製してある。
なお、側面コア３は、外側挿入片３４及びこれを支持する部分３４５を一体的に有する一部品で構成することも可能である。
【００３２】
そして、図２、図３、図８に示すごとく、側面コア３を開状態とすることによって内側挿入片２４と外側挿入片３４との間に連結脚部７１を配置する間隙を形成可能であると共に、図４に示すごとく、側面コア３を閉状態とすることによって、内側挿入片２４と外側挿入片３４との間に連結脚部７１を挟持可能となっている。そして、図１１に示すごとく、側面コア３を閉状態として、内側挿入片２４と外側挿入片３４とよりなる２組の脚部保持部４を、それぞれ対応する上記スロット８０の軸方向開口端部からスロット８０に沿ってスライドさせることにより、２組の上記脚部保持部４がそれぞれ対応するスロット８０内に同時に挿入可能に構成されている。
【００３３】
また、図４、図６〜図９に示すごとく、中央コア２には、側面コア３を閉状態に維持するためのロック部２７を設けてある。ロック部２７は、中央コア２の上面部に配設されたロック軸２７１と、該ロック軸２７１に回動可能に配設されたロックバー２７２とにより構成されている。そして、図４、図６、図７に示すごとく、ロックバー２７２を上記脚部保持部４の配設方向（スライド方向）と直交する方向に配置する（ロック状態にする）ことにより、側面コア３の上端角部３７がロックバー２７２に当接して、側面コア３が閉状態のまま維持される。
【００３４】
また、図８、図９に示すごとく、ロックバー２７２を上記脚部保持部４の配設方向と平行な方向に近づくように配置する（ロック解除状態にする）ことにより、側面コア３の上端角部３７とロックバー２７２との当接状態が解除され、側面コア２が開状態となりうるように構成されている。
ここで、中央コア２と各側面コア３との間には、側面コア３を開状態となる方向に付勢する付勢手段としてのスプリング（図示略）を配設してある。そのため、上記ロックバー２７２をロック解除状態にすることにより、側面コア３が常に開状態となる。
【００３５】
また、図３、図５に示すごとく、中央コア２及び側面コア３には、内側挿入片２４と外側挿入片３４の存在する部位よりもスライド方向に突出した余長部２８、３８を設けてある。さらに、側面コア３の余長部３８には、脚部保持部４を挿入すべきスロット８０の隣のスロット８０の内周面側の開口部８１０に係合する位置決め突起部３８５が設けられている。本例では、この位置決め突起部３８５を、余長部３８の長さ分だけではなく、側面コア３の全長に設けた。
このような余長部２８、３８を上記ステータコアの径方向内面に当接させると共に、上記位置決め突起部３８５を、連結脚部７１を挿入すべきスロット８０のとなりのスロット８０に挿入することにより、簡単に治具１とステータコア７との位置決めが可能である。
【００３６】
また、図２に示すごとく、各側面コア３のスライド方向後方側の端面である後端面３２２には、内側挿入片２４と外側挿入片３４との間の間隙に挿入される連結脚部７１の挿入深さを規制する規制部材３９を配設してある。規制部材３９は、側面コア３に固定した薄板鋼板よりなり、その端面３９１が連結脚部７１の挿入深さを規制するように構成してある。
【００３７】
次に、上記のような構造を有する相間絶縁紙組み付け治具１を用いて、ステータコア８に相間絶縁紙７を組み付ける作業例について説明する。
まず、図８、図９に示すごとく、上記ロック部２７のロックバー２７２をロック解除状態として、中央コア２に対して２つの側面コア３を開いた状態とし、２組の内側挿入片２４と外側挿入片３４との間にそれぞれ間隙を形成する。
【００３８】
次いで、図１０に示すごとく、この間隙に、相間絶縁紙の連結脚部を挿入する。
次いで、２つの側面コア３を閉じた状態とし、２組の脚部保持部４（内側挿入片２４と外側挿入片３４）にそれぞれ連結脚部７１を挟持する。そして、ロック部２７のロックバー２７２をロック状態として、連結脚部７１を各脚部保持部４において挟持した状態を固定する。
【００３９】
また、図１０に示すごとく、連結脚部７１の挟持位置は、相間絶縁紙７の一方の絶縁紙本体部７０近傍の部分とし、治具の後端面２２２側（スライド方向の後方側）に、相間絶縁紙７の連結脚部７１の大部分が残った状態とする。また、上述した規制部材３９の存在により、治具１の後端面２２２近傍においては、内側挿入片２４と外側挿入片３４との間に連結脚部７１が挟持された状態となる。一方、治具１の先端面２２１近傍においては、本例では、中央コア２と外側挿入片３の間の間隙における比較的奥まで連結脚部７１を挿入した状態で挟持した。
【００４０】
次に、図１１に示すごとく、相間絶縁紙１を把持した上記治具１を、リング状のステータコア８の開口端部に配置し、連結脚部７１を挿入すべき２つのスロット８０の軸方向端部に、それぞれ脚部保持部４の一端を対面させ、スロット８０と内側挿入片２４及び外側挿入片３４とを同一線上に配置する。このとき、まだ、内側挿入片２４及び外側挿入片３４は、スロット８０には挿入しない。そして、位置決めは、上述した余長部２８、３８をステータコア８の径方向内面に当接させると共に、位置決め突起部３８５を、連結脚部を挿入すべきスロット８０の隣のスロット８０に挿入することにより、確実に行うことができる。
【００４１】
次に、図１２、図１３及び図１４、図１５に示すごとく、治具１を、ステータコア８の内周面においてスロット８０に沿ってスライドさせる。これにより、治具１に挟持されている連結脚部７１及びその後方に続く連結脚部７１は、治具１の移動に伴って順次スロット８０内に挿入される。
次に、図１６に示すごとく、相間絶縁紙１がステータコア８の軸方向の位置において所望の位置に到達した時点で、治具１のスライドを止める。具体的には、図１６に示すごとく、治具１の進行方向と反対側に位置する絶縁紙本体部７０がステータコア８の軸方向端面から突出しているスロット内絶縁紙（スロットセル）のカフス部（図示略）に当接する位置に到達した時点で治具１のスライドを止めることが好ましい。
【００４２】
次に、図１６、図１７に示すごとく、治具１におけるロック部２のロックバー２７２をロック解除状態とする。これにより、側面コア３は、外側挿入片３４をスロット８０内に挿入したままの状態で、可能な限り開状態となり、内側挿入片２４と外側挿入片３４との間の間隔が若干広がる。そこで、作業者は、治具１に挟持されていた連結脚部７１のすべてをスロット８０内に押し込む。
その後、図１７に示すごとく、相間絶縁紙７の先端側の絶縁紙本体部７０を治具１のスライド方向に干渉しないように変形させておき、治具１のみをさらにスライドさせて、ステータコア８から取り外すことにより、相間絶縁紙１の組み付けが完了する。
【００４３】
このように、本例では、上記脚部保持部４を有する相間絶縁紙組み付け治具１を用いることによって、ステータコア８への相間絶縁紙１の組付けを、スムーズかつ効率よく行うことができる。
【００４４】
（実施例２）
本例では、図１８に示すごとく、実施例１における治具１の後端面２２２に、保持した相間絶縁紙７の後方に位置する絶縁紙本体部７０をスロット側に向けてガイドするガイド部材１９を設けた。
このガイド部１９を取り付けた場合には、同図に示すごとく、ステータコア８の内面の上方側に治具１を対面させた場合でも、相間絶縁紙７が自重によって垂れ下がることを防止することができる。
その他は実施例１と同様の作用効果が得られる。
【図面の簡単な説明】
【００４５】
【図１】実施例１における、相間絶縁紙の構成を示す説明図。
【図２】実施例１における、相間絶縁紙組み付け治具を後方斜めから見た開状態の斜視図。
【図３】実施例１における、相間絶縁紙組み付け治具を前方斜めから見た開状態の斜視図。
【図４】実施例１における、相間絶縁紙組み付け治具を前方から見た閉状態の正面図。
【図５】実施例１における、相間絶縁紙組み付け治具を底面側から見た閉状態の平面図。
【図６】実施例１における、相間絶縁紙組み付け治具を上面側から見た閉状態の背面図。
【図７】実施例１における、相間絶縁紙組み付け治具を側面側から見た閉状態の側面図。
【図８】実施例１における、相間絶縁紙組み付け治具を前方から見た開状態の正面図。
【図９】実施例１における、相間絶縁紙組み付け治具を上面側から見た開状態の背面図。
【図１０】実施例１における、相間絶縁紙組み付け治具の脚部保持部に連結脚部を挿入した状態を示す説明図。
【図１１】実施例１における、相間絶縁紙組み付け治具をステータコアに当接させた状態を示す説明図。
【図１２】実施例１における、相間絶縁紙組み付け治具をスロットに沿ってスライドさせている状態を示す説明図。
【図１３】実施例１における、相間絶縁紙組み付け治具をスロットに沿ってスライドさせている状態を示す説明図。
【図１４】実施例１における、相間絶縁紙組み付け治具をスロットに沿ってスライドさせている状態をステータコアの軸方向に沿った断面から見た説明図。
【図１５】実施例１における、相間絶縁紙組み付け治具をスロットに沿ってスライドさせている状態をステータコアの軸方向に沿った断面から見た説明図。
【図１６】実施例１における、相間絶縁紙組み付け治具のスライドを停止した状態を示すステータコアの軸方向に沿った断面から見た説明図。
【図１７】実施例１における、相間絶縁紙組み付け治具のみをステータコアから抜き出している状態をステータコアの軸方向に沿った断面から見た説明図。
【図１８】実施例２における、相間絶縁紙組み付け治具をスロットに沿ってスライドさせている状態をステータコアの軸方向に沿った断面から見た説明図。
【符号の説明】
【００４６】
１  相間絶縁紙組み付け治具
２  中央コア
２４  内側挿入片
２７  ロック部
２７２  ロックバー
２８、３８  余長部
３  側面コア
３４  外側挿入片
３８５  位置決め突起部
４  脚部保持部
７  相間絶縁紙
７０  絶縁紙本体部
７１  連結脚部
８  ステータコア
８０  スロット
【図１】
2007037330.tif 000003
【図２】
2007037330.tif 000004
【図３】
2007037330.tif 000005
【図４】
2007037330.tif 000006
【図５】
2007037330.tif 000007
【図６】
2007037330.tif 000008
【図７】
2007037330.tif 000009
【図８】
2007037330.tif 000010
【図９】
2007037330.tif 000011
【図１０】
2007037330.tif 000012
【図１１】
2007037330.tif 000013
【図１２】
2007037330.tif 000014
【図１３】
2007037330.tif 000015
【図１４】
2007037330.tif 000016
【図１５】
2007037330.tif 000017
【図１６】
2007037330.tif 000018
【図１７】
2007037330.tif 000019
【図１８】
2007037330.tif 000020